(57)【特許請求の範囲】
【請求項１】
ドアと該ドアが開閉可能に設置された出入口枠とを有するドア装置において、前記ドアは、少なくとも前記出入口枠に対向する面が開放されたドア枠と、回転方向が前記ドアの開閉方向となるように該ドア枠に回転自在に設置された第１の回転軸と、回転方向が前記ドアの開閉方向となるように前記ドア枠に回転自在に設置されるとともに該第１の回転軸から平行にずれて位置された第２の回転軸と、前記第１の回転軸と前記第２の回転軸とに巻き掛けられたドア表面部を有し、前記ドア表面部が前記出入口枠に高さ方向全域で固定されていることを特徴とするドア装置。
【請求項２】
前記ドア表面部を前記出入口枠に固定する連結部を有していることを特徴とする請求項１記載のドア装置。
【請求項３】
第１のドアと第２のドアとを有するとともに前記第１のドアと前記第２のドアとが同一方向に開閉するドア装置において、前記第１のドアは、少なくとも前記第２のドアに対向する面が開放されたドア枠と、回転方向が前記ドアの開閉方向となるように該ドア枠に回転自在に設置された第１の回転軸と、回転方向が前記ドアの開閉方向となるように前記ドア枠に回転自在に設置されるとともに該第１の回転軸から平行にずれて位置された第２の回転軸と、前記第１の回転軸と前記第２の回転軸とに巻き掛けられたドア表面部とを有し、前記ドア表面部が前記第２のドアに高さ方向全域で固定されていることを特徴とするドア装置。
【請求項４】
前記ドア表面部を前記第２のドアに固定する連結部を有していることを特徴とする請求項３記載のドア装置。
【請求項５】
前記ドア表面部は、前記連結部と連結する複数の被連結部を有することを特徴とする請求項１又は請求項２記載のドア装置。
【請求項６】
前記ドア表面部は、環状を形成するとともに前記第１の回転軸及び前記第２の回転軸に巻き掛けられており、表の面と裏の面とに異なる模様を施したことを特徴とする請求項１乃至請求項３のいずれかに記載のドア装置。
【発明の詳細な説明】
【０００１】
【発明の属する技術分野】
この発明は、エレベータのドア装置に関するものである。
【０００２】
【従来の技術】
従来のドア装置において、ドアが、ドア枠又は補強材に表面材が固定されていた。その為、ドア開閉時にドアと出入り口枠が接触し、ドアの動きに支障が出たり、ドアや出入り口枠の破損、ドアと出入り口枠との摺動音などの問題が発生しないように、ドアと出入り口枠の間は、互いに接触を避けるように間隙が設けられていた。
【０００３】
【発明が解決しようとする課題】
しかしながら、従来のドア装置は、上述したようにドアと出入り口枠の間の間隙を設けてあるために、出入り口の遮音性や気密性などの性能を高くすることが非常に困難であった。
また、ドア枠又は補強材にデザインが施された表面材が固定されていたために、ドアのデザインをリニューアルする場合にはドア本体を取り替えなければならず、取替え時間と取替え費用が多くかかるという問題があった。
【０００４】
この発明は、上述のような問題点を解決するためになされたもので、ドアと出入り口枠の間の間隙を塞いだドア装置を提供することを目的とする。
また、低コスト、短時間でドアのデザインをリニューアルすることができるドア装置を提供することを目的とする。
【０００５】
【課題を解決するための手段】
この発明に係わるドア装置は、ドアとドアが開閉可能に設置された出入口枠とを有するドア装置において、ドアは、少なくとも出入口枠に対向する面が開放されたドア枠と、回転方向がドアの開閉方向となるようにドア枠に回転自在に設置された第１の回転軸と、回転方向がドアの開閉方向となるようにドア枠に回転自在に設置されるとともに第１の回転軸から平行にずれて位置された第２の回転軸と、第１の回転軸と第２の回転軸とに巻き掛けられたドア表面部とを有し、ドア表面部の一部が出入口枠に固定されているものである。
【０００６】
また、ドア表面部を出入口枠に固定する連結部を有しているものである。
【０００７】
この発明に係わるドア装置は、第１のドアと第２のドアとを有するとともに第１のドアと第２のドアとが同一方向に開閉するドア装置において、第１のドアは、少なくとも第２のドアに対向する面が開放されたドア枠と、回転方向がドアの開閉方向となるようにドア枠に回転自在に設置された第１の回転軸と、回転方向がドアの開閉方向となるようにドア枠に回転自在に設置されるとともに第１の回転軸から平行にずれて位置された第２の回転軸と、第１の回転軸と第２の回転軸とに巻き掛けられたドア表面部とを有し、ドア表面部の一部が第２のドアに固定されているものである。
【０００８】
また、ドア表面部を第２のドアに固定する連結部を有しているものである。
【０００９】
また、ドア表面部は、連結部と連結する複数の被連結部を有するものである。
【００１０】
また、ドア表面部は、環状を形成するとともに第１の回転軸及び第２の回転軸に巻き掛けれており、表の面と裏の面とに異なる模様を施したものである。
【００１１】
【発明の実施の形態】
実施の形態１．
図１はこの発明の実施の形態１に示すドア装置を例えば２枚中央開きに適応した場合の正面図、図２は図１に示すドア装置の平断面図、図３はドアの開く動作の状態を示す平断面図であり、図３の（ａ）はドアが開く動作の開始状態を示す図、（ｂ）はドアが開く動作の途中の状態を示す図、（ｃ）はドアが開く動作が完了した状態を示す図である。
【００１２】
図において、１は後述する出入口枠５に開閉自在に設置されたドア枠であり、出入口枠５に対向する面が開放されて平断面の形状がほぼコの字の形状をしている。
また、２はドア枠１の上枠と下枠に回転自在に支持されるとともに後述する第２の回転軸３と一対になって後述するドア表面部４を巻き掛ける第１の回転軸、３はドア枠１の上枠及び下枠で回転自在に支持されるとともに第１の回転軸２と一対になってドア表面部４を巻き掛ける第２の回転軸、４は湾曲可能な可撓性を有する薄い材料で構成されるとともに第１の回転軸２と第２の回転軸３とによって一定の張力をもって環状に巻き掛けられたドア表面部であり、ドア表面部４は第１の回転軸２と第２の回転軸３とが回転することにより、ベルトコンベアのようにドア枠１に対して回転可能となっている。
【００１３】
また、５は出入り口に設けられた出入口枠、６はドア表面部４と出入口枠５との間隙を連結する連結部であり、ドア表面部４は出入口枠５に連結部６を介して図中点Ａで固定されるようになっている。
また、１０は、ドア枠１、ドア表面部４、第１の回転軸２と第２の回転軸３とによって構成されるドアである。
【００１４】
尚、ドア表面部４は連結部６を介して出入口枠５と高さ方向全域で固定している。
【００１５】
次に、動作について説明する。
（１）ドアが開く時
まず、図３（ａ）に示すようにドア１０は完全に閉じた全閉状態となっている。この状態では、互いのドア枠１に接触しており、また出入口枠５とドア表面部４とが連結部６で接続されており、ドア１０の内側と外側とは完全に隔離された状態となっている。
【００１６】
次に、ドア１０が図３（ａ）に示すように全閉した状態から開く動作が始まる。
次に、上述したようにドア表面部４は連結部６によって出入口枠５と固定されているため、ドア１０の開く動きに同期して、ドア表面部４がドア枠１に対して第１の回転軸２及び第２の回転軸３を支点にしてドア１０の開く方向に回転する。但し、ドア表面部４の回転は、ドア枠１に対して回転しているのであって、出入口枠５に対しては回転しているのではない。即ち、ドア表面部４と連結部６との固定点Ａは移動するのではなく、ドア１０が開いている途中の図３（ｂ）、ドア１０が全開の図３（ｃ）においても固定点Ａは出入口枠５に対しては移動しない。一方、図３（ａ）のドア表面部４の点Ｂは、ドア１０の開く動きに伴い、図３（ｂ）及び図３（ｃ）に示すように移動することになる。
【００１７】
（２）ドアが閉まる時
ドア１０が開くときと全く逆の動作をする。即ち、ドア１０の全開の図３（ｃ）から始まり、ドア１０の閉まる途中の図３（ｂ）を経て、ドア１０の全閉の図３（ａ）へと動作する。ドア表面部４の動きもドア１０が開くときと全く逆の動作を行なうので説明は省略する。
【００１８】
このように、本実施の形態におけるドア装置は、出入口枠５に開閉可能に設置されたドア枠１に一対の第１の回転軸２、第２の回転軸３を設け、ドア表面部４を第１の回転軸２、第２の回転軸３に巻き掛け、ドア表面部４を出入口枠５に連結部６を介して高さ方向全域で固定する構成としたので、ドア１０と出入口枠５との間隙を高さ方向の全域においての塞ぐことが可能となり、出入口の遮音性や気密性などの性能が高いドア装置を提供することができる。
【００１９】
実施の形態２．
本実施の形態において、実施の形態１と同一の符号を付した箇所は同一または相当部分を示す。
図４はこの発明の実施の形態２に示すドア装置を２枚片開きに適応した場合の断面図であり、（ａ）はドアが開く動作の開始状態を示す図、（ｂ）はドアが開く動作の途中の状態を示す図である。
また、図５はこの発明の実施の形態２に示すドア装置を３枚片開きに適応した場合の断面図、図６はこの発明の実施の形態２に示すドア装置を４枚中央開きに適応した場合の断面図である。
各図において、６ａはドア１０のドア表面部４とドア１０ａとの間隙、或いはドア１０ａのドア表面部４とドア１０ｂとの間隙を連結する連結部、１０ａは、ドア枠１、ドア表面部４、第１の回転軸２と第２の回転軸３とによって構成されるドアであり、ドア１０と同様のものである。
【００２０】
尚、第１のドアはドア１０に対応し、第２のドアはドア１０ａに対応する。
尚、ドア１０ａはドア１０に比べ開閉時における移動距離が長いため、ドア１０ａは高速ドア、ドア１０は低速ドアを用いる。
【００２１】
次に、動作について説明する。
図４に示す２枚片開きの場合について説明する。
まず、図４（ａ）に示すようにドア１０は完全に閉じた全閉状態となっている。この状態では、ドア１０ａのドア枠１と出入口枠５とは接触しており、また出入口枠５とドア１０のドア表面部４とが連結部６で接続されて、ドア１０のドア表面部４とドア１０ａのドア枠１が連結部６ａで接続されており、ドア１０及びドア１０ａの内側と外側とは完全に隔離された状態となっている。
【００２２】
次に、ドア１０とドア１０ａが図４（ａ）に示すように全閉した状態から開く動作が始まる。
次に、上述したようにドア１０のドア表面部４は連結部６によって出入口枠５と固定され、ドア１０ａのドア表面部材４は連結部６ａによって、ドア１０のドア枠１に固定されている。よって、実施の形態１で説明したように、ドア１０及びドア１０ａの開く動きに同期して、各々のドア表面部４がドア枠１に対して第１の回転軸２及び第２の回転軸３を支点にしてドア１０の開く方向に回転し、図４（ｂ）に示すようにドア１０及びドア１０ａが開いていく。但し、ドア表面部４の回転は、ドア枠１に対して回転しているのであって、出入口枠５やドア１０のドア枠１に対しては回転しているのではない。
【００２３】
図４（ｂ）に示す状態以降も同様に開く動作が行われ、最終的に全開状態（図示せず）となり動作が完了する。
尚、ドアが閉まる動作は開く動作の全く逆の動作を行なうため、説明は省略する。
【００２４】
また、図５に示す３枚片開きの場合、図６に示す４枚中央開きの場合における動作は、図２、図３に示す２枚中央開きの場合や図４に示す２枚片開きの場合の動作と同様であるので説明は省略する。
【００２５】
このように、本実施の形態におけるドア装置は、出入口枠５に開閉可能に設置されたドア１０のドア枠１に一対の第１の回転軸２、第２の回転軸３を設けてドア表面部４を第１の回転軸２、第２の回転軸３に巻き掛けるとともにドア表面部４を出入口枠５に連結部６を介して高さ方向全域で固定し、更にドア１０ａのドア枠１に一対の第１の回転軸２、第２の回転軸３を設けてドア表面部４を第１の回転軸２、第２の回転軸３に巻き掛けるとともにドア表面部４をドア１０のドア枠１に連結部６ａを介して高さ方向全域で固定する構成としたので、実施の形態１の効果に加えて、ドア１０と出入口枠５との間隙を高さ方向の全域においての塞ぐこと、即ち、高速ドア（ドア１０ａ）と低速ドア（ドア１０）とを組み合わせた場合における高速ドアと低速ドアとの間隙を完全に塞ぐことができ、出入口の遮音性や気密性などの性能が高いドア装置を提供することができる。
また、複数枚における片開き或いは中央開きにおいても、出入口の遮音性や気密性などの性能が高いドア装置を提供することができる。
【００２６】
実施の形態３．
本実施の形態において、実施の形態２と同一の符号を付した箇所は同一または相当部分を示す。
図７はこの発明の実施の形態１或いは実施の形態２に示すドア装置のドア表面部４を示す図であり、（ａ）は斜視図、（ｂ）は平断面図である。
図において、１１は矢印Ｃの向きから見えるようにドア表面部４に施された第１のデザイン、１２は矢印Ｄの向きから見えるようにドア表面部４に施された第２のデザインである。
【００２７】
また、１３はドア表面部４に設けられ、連結部６を取付けるための第１の被連結部、１４はドア表面部４に設けられ、連結部６を取付ける第２の被連結部であり、連結部６は第１の被連結部１３及び第２の被連結部１４に対し着脱可能となっている。例えば、第１の被連結部１３或いは第２の被連結部１４にネジ穴を設け、連結部６をドア表面部４にネジで止める構成とする。
【００２８】
次に、ドア表面部４の模様を変更する方法について説明する。
図７はドア表面部４の第１の被連結部１３に連結部６を取り付けた場合を図示しており、この場合、ドア表面部４をドア枠１取付けると、利用者はドア開閉時において利用者は第１のデザイン１１を目にすることになる。
【００２９】
まず、連結部６をドア表面部４から取り外す。
次に、第１の回転軸２及び第２の回転軸３を回転させるようにしてドア表面部４を１８０度回転させ、第１の被連結部１３と第２の被連結部１４とを入れ替え、第２のデザイン１２を矢印Ｃの方向から見ることができるようにする。即ち、ドア表面部４を回転させ第１のデザイン１１と第２のデザイン１２とを交換する。
次に、連結部６をドア表面部４の第２の被連結部１４に取り付ける。
後は、上述したドアの開閉の動作を行なえば良い。
【００３０】
このように、本実施の形態におけるドア装置は、ドア表面部４の両面にデザインを施し、必要に応じて連結部６の取付位置を変更する構成としたので、ドアのデザインのリニューアルのためにドア本体を取り替える等の大掛かりな改修工事の必要が無く、そのため低コスト、短時間でドアのデザインをリニューアルすることができるという効果がある。
【００３１】
尚、各実施の形態において、２枚中央開き、２枚片開き、３枚片開き、４枚中央開きの方式について説明致しましたが、これらに限定されるものではなく、例えば１枚片開き等の他の方式にも適用可能であることは言うまでもない。
【００３２】
【発明の効果】
この発明に係わるドア装置は、ドアとドアが開閉可能に設置された出入口枠とを有するドア装置において、ドアは、少なくとも出入口枠に対向する面が開放されたドア枠と、回転方向がドアの開閉方向となるようにドア枠に回転自在に設置された第１の回転軸と、回転方向がドアの開閉方向となるようにドア枠に回転自在に設置されるとともに第１の回転軸から平行にずれて位置された第２の回転軸と、第１の回転軸と第２の回転軸とに巻き掛けられたドア表面部とを有し、ドア表面部の一部が出入口枠に固定されているものなので、ドアと出入り口枠の間の間隙を塞ぐことができる。
【００３３】
また、ドア表面部を出入口枠に固定する連結部を有しているものなので、ドアと出入り口枠の間の間隙を塞ぐことができる。
【００３４】
この発明に係わるドア装置は、第１のドアと第２のドアとを有するとともに第１のドアと第２のドアとが同一方向に開閉するドア装置において、第１のドアは、少なくとも第２のドアに対向する面が開放されたドア枠と、回転方向がドアの開閉方向となるようにドア枠に回転自在に設置された第１の回転軸と、回転方向がドアの開閉方向となるようにドア枠に回転自在に設置されるとともに第１の回転軸から平行にずれて位置された第２の回転軸と、第１の回転軸と第２の回転軸とに巻き掛けられたドア表面部とを有し、ドア表面部の一部が第２のドアに固定されているものなので、ドアとドアの間の間隙を塞ぐことができる。
【００３５】
また、ドア表面部を第２のドアに固定する連結部を有しているものなので、ドアとドアの間の間隙を塞ぐことができる。
【００３６】
また、ドア表面部は、連結部と連結する複数の被連結部を有するものなので、低コスト、短時間でドアのデザインをリニューアルすることができる。
【００３７】
また、ドア表面部は、環状を形成するとともに第１の回転軸及び第２の回転軸に巻き掛けれており、表の面と裏の面とに異なる模様を施したものなので、低コスト、短時間でドアのデザインをリニューアルすることができる。
【図面の簡単な説明】
【図１】  この発明の実施の形態１に示すドア装置の正面図である。
【図２】  図１に示すドア装置の閉じた状態を示す平断面図である。
【図３】  図１に示すドア装置の開く途中の状態を示す平断面図であり、（ａ）は閉じた状態、（ｂ）は開く途中の状態、（ｃ）は開いた状態である。
【図４】  この発明の実施の形態２に示す２枚片開きのドア装置の平断面図であり、（ａ）は閉じた状態、（ｂ）は開く途中の状態である。
【図５】  この発明の実施の形態２に示す３枚片開きのドア装置の平断面図である。
【図６】  この発明の実施の形態２に示す４枚中央開きのドア装置の平断面図である。
【図７】  この発明の実施の形態３に示すドア装置のドア表面部を示す図であり、（ａ）は斜視図、（ｂ）は平断面図である。
【符号の説明】
１  ドア枠、２  第１の回転軸、３  第２の回転軸、４  ドア表面部、５  出入口枠、６、６ａ  連結部、１０、１０ａ  ドア、１１  第１のデザイン、１２  第２のデザイン、１３  第１の被連結部、１４  第２の被連結部。
【図１】
0004806857.tif 000002
【図２】
0004806857.tif 000003
【図３】
0004806857.tif 000004
【図４】
0004806857.tif 000005
【図５】
0004806857.tif 000006
【図６】
0004806857.tif 000007
【図７】
0004806857.tif 000008